(57)【要約】【課題】表示装置用の光源モジュールとその駆動方法及びこれを備えた表示装置を提供する。【解決手段】本発明の光源モジュールは、駆動電源によって発光し、駆動電源入力端と接地との間に並列接続されてそれぞれフィードバック信号を出力する複数の発光部と、複数のフィードバック信号に基づいて、複数の電源制御信号を出力する電流バラツキ制御部と、複数の電源制御信号に基づいて、複数の発光部に供給される駆動電源の電流を変えるコンバート部と、を備える。本発明によれば、複数の発光ダイオードを有する複数の発光部に流れる電流量を測定し、その測定結果に基づいて複数の発光部に供給する電源レベルを変えて複数の発光部における電流のバラツキを低減することにより、光源の輝度を均一に維持することができる。【選択図】図１
2009026734.tif 000002
【特許請求の範囲】
【請求項１】
駆動電源によって発光し、駆動電源入力端と接地との間に並列接続されてそれぞれフィードバック信号を出力する複数の発光部と、
前記複数のフィードバック信号に基づいて、複数の電源制御信号を出力する電流バラツキ制御部と、
前記複数の電源制御信号に基づいて、前記複数の発光部に供給される前記駆動電源の電流を変えるコンバート部と、を備えることを特徴とする光源モジュール。
【請求項２】
前記複数の発光部はそれぞれ、
前記フィードバック信号を出力する制御ノードと、
前記駆動電源入力端と前記制御ノードとの間に接続され、複数の発光ダイオードを有する発光ダイオードストリングと、
前記制御ノードと接地との間に接続される電源検出部と、を備えることを特徴とする請求項１に記載の光源モジュール。
【請求項３】
前記電流バラツキ制御部は、前記複数のフィードバック信号の電圧レベルが動作範囲内に納まる場合に第１の電圧レベルの複数の電源制御信号を出力し、前記複数のフィードバック信号のうち少なくとも一つの信号の電圧が動作範囲から外れる場合に第２の電圧レベルの複数の電源制御信号を出力することを特徴とする請求項１に記載の光源モジュール。
【請求項４】
前記複数のフィードバック信号のうち少なくとも一つの信号の電圧が前記動作範囲の下限よりも低い場合に前記第２の電圧レベルの第１の電源制御信号を出力し、前記複数のフィードバック信号のうち少なくとも一つの信号の電圧が前記動作範囲の上限よりも高い場合に前記第２の電圧レベルの第２の電源制御信号を出力することを特徴とする請求項３に記載の光源モジュール。
【請求項５】
前記コンバート部は、前記第２の電圧レベルの第１の電源制御信号に基づいて駆動電源の電圧レベルを上げ、前記第２の電圧レベルの第２の電源制御信号に基づいて駆動電源の電圧レベルを下げることを特徴とする請求項４に記載の光源モジュール。
【請求項６】
前記動作範囲は、前記複数の発光部がそれぞれ均一な輝度を維持するために供給される前記駆動電源の電流量の上限と下限の値を有することを特徴とする請求項３に記載の光源モジュール。
【請求項７】
前記電流バラツキ制御部は、前記複数のフィードバック信号と少なくとも一つの基準電圧とを用いて前記複数の電源制御信号を出力することを特徴とする請求項１に記載の光源モジュール。
【請求項８】
前記電流バラツキ制御部は、
複数のフィードバック信号のうち少なくとも一つの信号と第１の基準電圧とを用いて第１の電源制御信号を出力する第１の信号生成部と、
複数のフィードバック信号のうち少なくとも一つの信号と第２の基準電圧とを用いて第２の電源制御信号を出力する第２の信号生成部と、を備えることを特徴とする請求項１に記載の光源モジュール。
【請求項９】
前記第１の信号生成部は、
固定電源が供給される第１のノードと、
前記複数のフィードバック信号のうち少なくとも一つの信号の電圧に基づいて前記第１のノードへの前記固定電源の電圧を変える信号変換部と、
前記固定電源の電圧と前記第１の基準電圧とを比較して第１の電源制御信号を出力する第１の信号出力部と、を備えることを特徴とする請求項８に記載の光源モジュール。
【請求項１０】
前記第１の電源制御信号は、前記固定電源の電圧が前記第１の基準電圧よりも低い場合にその電圧レベルが変わることを特徴とする請求項８に記載の光源モジュール。
【請求項１１】
前記信号変換部はカソードが前記複数のフィードバック信号入力端にそれぞれ接続される複数の発光ダイオードを備え、前記複数の発光ダイオードのアノードが前記第１のノードに接続されることを特徴とする請求項９に記載の光源モジュール。
【請求項１２】
前記第１の信号出力部は、
反転端子と非反転端子を有し、該非反転端子に前記第１の基準電圧が供給される増幅器と、
前記反転端子と前記第１のノードとの間に接続される入力抵抗と、
前記反転端子と前記増幅器の出力端子との間に接続されるフィードバック抵抗と、
前記増幅器の出力端子と前記第１の電源制御信号出力端子との間に接続される出力抵抗と、を備えることを特徴とする請求項９に記載の光源モジュール。
【請求項１３】
前記第２の信号生成部は、
前記複数のフィードバック信号のうち少なくとも一つの信号の電圧に基づいて変換信号を出力する変換信号出力部と、
前記変換信号の電圧と前記第２の基準電圧とを比較して第２の電源制御信号を出力する第２の信号出力部と、を備えることを特徴とする請求項８に記載の光源モジュール。
【請求項１４】
前記第２の電源制御信号は、前記変換信号の電圧が前記第２の基準電圧よりも高い場合にその電圧レベルが変わることを特徴とする請求項８に記載の光源モジュール。
【請求項１５】
前記変換信号出力部はアノードが前記複数のフィードバック信号入力端にそれぞれ接続される複数の発光ダイオードを備え、前記複数の発光ダイオードのカソードが前記変換信号出力端子に接続されることを特徴とする請求項１３に記載の光源モジュール。
【請求項１６】
前記第２の信号出力部は、
反転端子と非反転端子を有し、該非反転端子に前記第２の基準電圧が供給される増幅器と、
前記反転端子と前記変換信号出力端子との間に接続される入力抵抗と、
前記反転端子と前記増幅器の出力端子との間に接続されるフィードバック抵抗と、
前記増幅器の出力端子と前記第２の電源制御信号出力端子との間に接続される出力抵抗と、を備えることを特徴とする請求項１３に記載の光源モジュール。
【請求項１７】
前記コンバート部は、前記第１の電源制御信号に基づいて前記駆動電源の電流を増大させ、前記第２の電源制御信号に基づいて前記駆動電源の電流を減少させることを特徴とする請求項８に記載の光源モジュール。
【請求項１８】
前記複数の発光部のフィードバック信号がそれぞれ印加される複数の電流バラツキ制御部を有することを特徴とする請求項８に記載の光源モジュール。
【請求項１９】
複数の発光ダイオードストリングに駆動電源を供給して発光させるステップと、
前記複数の発光ダイオードストリングにそれぞれ供給される電源を検出するステップと、
前記発光ダイオードストリングに供給される電源の検出結果に基づいて、前記駆動電源を変えるステップと、を有することを特徴とする光源モジュールの駆動方法。
【請求項２０】
前記電源を検出するステップは、前記複数の発光ダイオードストリングにそれぞれ供給された電源の電圧レベルを検出するステップであることを特徴とする請求項１９に記載の光源モジュールの駆動方法。
【請求項２１】
前記電源を検出するステップの後に、前記検出された電源の電圧レベルと少なくとも一つの基準電圧とを比較して複数の電源制御信号を生成するステップをさらに有することを特徴とする請求項２０に記載の光源モジュールの駆動方法。
【請求項２２】
前記駆動電源を変えるステップは、前記電源制御信号に基づいて前記駆動電源の電流量を変えるステップであることを特徴とする請求項２１に記載の光源モジュールの駆動方法。
【請求項２３】
前記電源を検出するステップの後に、
前記複数の発光ダイオードストリングにおいて検出された電源の電圧が動作範囲以内である場合には第１の電圧レベルの第１及び第２の電源制御信号を生成し、前記複数の発光ダイオードストリングのうち少なくとも一つにおいて検出された電源の電圧が前記動作範囲よりも低い場合には第２の電圧レベルの第１の電源制御信号を生成し、前記複数の発光ダイオードストリングのうち少なくとも一つにおいて検出された電源の電圧が前記動作範囲よりも高い場合には第２の電圧レベルの第２の電源制御信号を生成するステップをさらに有することを特徴とする請求項１９に記載の光源モジュールの駆動方法。
【請求項２４】
前記駆動電源を変えるステップは、
前記第１の電圧レベルの第１及び第２の電源制御信号に基づいて以前の駆動電源と同じ電源を前記複数の発光ダイオードストリングに供給するか、あるいは、前記第２の電圧レベルの第１及び第２の電源制御信号に基づいて以前の駆動電源とはその電流量が異なる別の電源を供給するステップであることを特徴とする請求項２３に記載の光源モジュールの駆動方法。
【請求項２５】
前記第２の電圧レベルの第１の電源制御信号に基づいて前記駆動電源の電圧レベルを上げ、前記第２の電圧レベルの第２の電源制御信号に基づいて前記駆動電源の電圧レベルを下げることを特徴とする請求項２４に記載の光源モジュールの駆動方法。
【請求項２６】
表示パネルと、
前記表示パネルの動作を制御する制御部と、
駆動電源によって発光し、駆動電源入力端と接地との間に並列接続されてそれぞれフィードバック信号を出力する複数の発光部と、
前記複数のフィードバック信号に基づいて複数の電源制御信号を出力する電流バラツキ制御部と、
前記複数の電源制御信号に基づいて前記複数の発光部に供給される前記駆動電源の電流を変えるコンバート部と、を備えることを特徴とする表示装置。
【請求項２７】
前記電流バラツキ制御部は、前記複数のフィードバック信号の電圧レベルが動作範囲内に納まる場合に第１の電圧レベルの複数の電源制御信号を出力し、前記複数のフィードバック信号のうち少なくとも一つの信号の電圧が動作範囲から外れる場合には第２の電圧レベルの複数の電源制御信号を出力することを特徴とする請求項２６に記載の表示装置。
【発明の詳細な説明】
【技術分野】
【０００１】
本発明は表示装置用の光源モジュールとその駆動方法及びこれを備えた表示装置に係り、さらに詳しくは、複数の発光ダイオードストリングに流れる電流を感知して発光ダイオードストリング同士の電流のバラツキを低減させることのできる表示装置用の光源モジュールとその駆動方法及びこれを備えた表示装置に関する。
【背景技術】
【０００２】
フラット表示装置の一種である液晶表示装置（Ｌｉｑｕｉｄ  Ｃｒｙｓｔａｌ  Ｄｉｓｐｌａｙ：ＬＣＤ）は、自ら発光できない受光素子を用いている。このため、液晶表示装置は、別途の光源モジュール（例えば、バックライト）から発せられた光を用いて画像を表示する。光源モジュールは、光源と、光源を駆動させる光源駆動部とを備えている。光源モジュールは、軽量化及び薄型化を図るために、光源として複数の発光ダイオード（Ｌｉｇｈｔ  Ｅｍｉｔｔｉｎｇ  Ｄｉｏｄｅ：ＬＥＤ）が直列接続されている発光ダイオードストリングを用いる。面光源タイプの光源を製作するために、複数の発光ダイオードストリングを並列接続させて光源として用いている。
【０００３】
既存の光源モジュールは、並列接続された複数の発光ダイオードストリング全体としての電流のみを制御していた。これにより、ある発光ダイオードストリングに異常が生じた場合、光源の輝度の均一度が低下するという問題が発生する。すなわち、例えば、光源モジュールが３本の発光ダイオードストリングを有する場合を想定する。このとき、第１の発光ダイオードストリングに異常が生じて第１の発光ダイオードストリングに流れていた電流量が減少する場合、全体の電流量が同じであるため、第２及び第３の発光ストリングに流れる電流量が増大してしまう。これにより、第１の発光ダイオードストリングの輝度が下がる一方、第２及び第３の発光ストリングの輝度が上がることにより光源に輝度ムラが発生する。なお、電流量が増大された発光ダイオードストリング内の発光ダイオードは、そうでない発光ダイオードストリング内の発光ダイオードよりも早く劣化するという問題が発生する。
【発明の開示】
【発明が解決しようとする課題】
【０００４】
そこで、本発明は上記従来の問題点に鑑みてなされたものであり、本発明の目的は、複数の発光ダイオードを有する発光ダイオードストリングの電流量をそれぞれ別々に制御して発光ダイオードストリングにおける電流のバラツキを低減することにより、光源への輝度ムラの発生を防ぐことのできる表示装置用の光源モジュールとその駆動方法及びこれを備えた表示装置を提供することにある。
【課題を解決するための手段】
【０００５】
上記目的を達成するためになされた本発明の光源モジュールは、駆動電源によって発光し、駆動電源入力端と接地との間に並列接続されてそれぞれフィードバック信号を出力する複数の発光部と、前記複数のフィードバック信号に基づいて、複数の電源制御信号を出力する電流バラツキ制御部と、前記複数の電源制御信号に基づいて、前記複数の発光部に供給される前記駆動電源の電流を変えるコンバート部と、を備えることを特徴とする。
また、前記複数の発光部はそれぞれ、前記フィードバック信号を出力する制御ノードと、前記駆動電源入力端と前記制御ノードとの間に接続され、複数の発光ダイオードを有する発光ダイオードストリングと、前記制御ノードと接地との間に接続される電源検出部と、を備えることが好ましい。
さらに、前記電流バラツキ制御部は、前記複数のフィードバック信号の電圧レベルが動作範囲内に納まる場合に第１の電圧レベルの複数の電源制御信号を出力し、前記複数のフィードバック信号のうち少なくとも一つの信号の電圧が動作範囲から外れる場合に第２の電圧レベルの複数の電源制御信号を出力することが好ましい。
さらにまた、前記複数のフィードバック信号のうち少なくとも一つの信号の電圧が前記動作範囲の下限よりも低い場合に前記第２の電圧レベルの第１の電源制御信号を出力し、前記複数のフィードバック信号のうち少なくとも一つの信号の電圧が前記動作範囲の上限よりも高い場合に前記第２の電圧レベルの第２の電源制御信号を出力することが好ましい。なお、前記コンバート部は、前記第２の電圧レベルの第１の電源制御信号に基づいて駆動電源の電圧レベルを上げ、前記第２の電圧レベルの第２の電源制御信号に基づいて駆動電源の電圧レベルを下げることが好ましい。ここで、前記動作範囲は、前記複数の発光部がそれぞれ均一な輝度を維持するために供給される前記駆動電源の電流量の上限と下限の値を有することが好ましい。
さらにまた、前記電流バラツキ制御部は、前記複数のフィードバック信号と少なくとも一つの基準電圧とを用いて前記複数の電源制御信号を出力してもよい。
さらにまた、前記電流バラツキ制御部は、複数のフィードバック信号のうち少なくとも一つの信号と第１の基準電圧とを用いて第１の電源制御信号を出力する第１の信号生成部と、複数のフィードバック信号のうち少なくとも一つの信号と第２の基準電圧とを用いて第２の電源制御信号を出力する第２の信号生成部と、を備えることが好ましい。
さらにまた、前記第１の信号生成部は、固定電源が供給される第１のノードと、前記複数のフィードバック信号のうち少なくとも一つの信号の電圧に基づいて前記第１のノードへの前記固定電源の電圧を変える信号変換部と、前記固定電源の電圧と前記第１の基準電圧とを比較して第１の電源制御信号を出力する第１の信号出力部と、を備えることが好ましい。
さらにまた、前記第１の電源制御信号は、前記固定電源の電圧が前記第１の基準電圧よりも低い場合にその電圧レベルが変わることが好ましい。
さらにまた、前記信号変換部はカソードが前記複数のフィードバック信号入力端にそれぞれ接続される複数の発光ダイオードを備え、前記複数の発光ダイオードのアノードが前記第１のノードに接続されることが好ましい。
さらにまた、前記第１の信号出力部は、反転端子と非反転端子を有し、該非反転端子に前記第１の基準電圧が供給される増幅器と、前記反転端子と前記第１のノードとの間に接続される入力抵抗と、前記反転端子と前記増幅器の出力端子との間に接続されるフィードバック抵抗と、前記増幅器の出力端子と前記第１の電源制御信号出力端子との間に接続される出力抵抗と、を備えることが好ましい。
さらにまた、前記第２の信号生成部は、前記複数のフィードバック信号のうち少なくとも一つの信号の電圧に基づいて変換信号を出力する変換信号出力部と、前記変換信号の電圧と前記第２の基準電圧とを比較して第２の電源制御信号を出力する第２の信号出力部と、を備えることが好ましい。
さらにまた、前記第２の電源制御信号は、前記変換信号の電圧が前記第２の基準電圧よりも高い場合にその電圧レベルが変わることが好ましい。
さらにまた、前記変換信号出力部はアノードが前記複数のフィードバック信号入力端にそれぞれ接続される複数の発光ダイオードを備え、前記複数の発光ダイオードのカソードが前記変換信号出力端子に接続されることが好ましい。
さらにまた、前記第２の信号出力部は、反転端子と非反転端子を有し、該非反転端子に前記第２の基準電圧が供給される増幅器と、前記反転端子と前記変換信号出力端子との間に接続される入力抵抗と、前記反転端子と前記増幅器の出力端子との間に接続されるフィードバック抵抗と、前記増幅器の出力端子と前記第２の電源制御信号出力端子との間に接続される出力抵抗と、を備えることが好ましい。
さらにまた、前記コンバート部は、前記第１の電源制御信号に基づいて前記駆動電源の電流を増大させ、前記第２の電源制御信号に基づいて前記駆動電源の電流を減少させてもよい。
さらにまた、前記複数の発光部のフィードバック信号がそれぞれ印加される複数の電流バラツキ制御部を有していてもよい。
【０００６】
上記目的を達成するためになされた本発明の光源モジュールの駆動方法は、複数の発光ダイオードストリングに駆動電源を供給して発光させるステップと、前記複数の発光ダイオードストリングにそれぞれ供給される電源を検出するステップと、前記発光ダイオードストリングに供給される電源の検出結果に基づいて、前記駆動電源を変えるステップと、を有することを特徴とする。
さらに、前記電源を検出するステップにおいては、前記複数の発光ダイオードストリングにそれぞれ供給された電源の電圧レベルを検出することが好ましい。
さらにまた、前記電源を検出するステップの後に、前記検出された電源の電圧レベルと少なくとも一つの基準電圧とを比較して複数の電源制御信号を生成するステップをさらに有していてもよい。
さらにまた、前記駆動電源を変えるステップにおいては、前記電源制御信号に基づいて前記駆動電源の電流量を変えることが好ましい。
さらにまた、前記電源を検出するステップの後に、前記複数の発光ダイオードストリングにおいて検出された電源の電圧が動作範囲以内である場合には第１の電圧レベルの第１及び第２の電源制御信号を生成し、前記複数の発光ダイオードストリングのうち少なくとも一つにおいて検出された電源の電圧が前記動作範囲よりも低い場合には第２の電圧レベルの第１の電源制御信号を生成し、前記複数の発光ダイオードストリングのうち少なくとも一つにおいて検出された電源の電圧が前記動作範囲よりも高い場合には第２の電圧レベルの第２の電源制御信号を生成するステップをさらに有していてもよい。
さらにまた、前記駆動電源を変えるステップにおいては、前記第１の電圧レベルの第１及び第２の電源制御信号に基づいて以前の駆動電源と同じ電源を前記複数の発光ダイオードストリングに供給するか、あるいは、前記第２の電圧レベルの第１及び第２の電源制御信号に基づいて以前の駆動電源とはその電流量が異なる別の電源を供給してもよい。
さらにまた、前記第２の電圧レベルの第１の電源制御信号に基づいて前記駆動電源の電圧レベルを上げ、前記第２の電圧レベルの第２の電源制御信号に基づいて前記駆動電源の電圧レベルを下げることが好ましい。
【０００７】
上記目的を達成するためになされた本発明の表示装置は、表示パネルと、前記表示パネルの動作を制御する制御部と、駆動電源によって発光し、駆動電源入力端と接地との間に並列接続されてそれぞれフィードバック信号を出力する複数の発光部と、前記複数のフィードバック信号に基づいて複数の電源制御信号を出力する電流バラツキ制御部と、前記複数の電源制御信号に基づいて前記複数の発光部に供給される前記駆動電源の電流を変えるコンバート部と、を備えることを特徴とする。
また、前記電流バラツキ制御部は、前記複数のフィードバック信号の電圧レベルが動作範囲内に納まる場合に第１の電圧レベルの複数の電源制御信号を出力し、前記複数のフィードバック信号のうち少なくとも一つの信号の電圧が動作範囲から外れる場合には第２の電圧レベルの複数の電源制御信号を出力することが好ましい。
【発明の効果】
【０００８】
本発明によれば、複数の発光ダイオードを有する複数の発光部に流れる電流量を測定し、その測定結果に基づいて複数の発光部に供給する電源の電圧レベルを変えて複数の発光部における電流のバラツキを低減することにより、光源の輝度ムラをなくすことができる。
また、本発明によれば、複数の発光部の電流量をそれぞれ別々に制御することができる。
【発明を実施するための最良の形態】
【０００９】
以下、本発明を実施するための最良の形態の具体例を、図面を参照しながら詳細に説明する。しかし、本発明は後述する実施の形態に限定されるものではなく、異なる形で実現可能であり、これらの実施の形態は、単に本発明の理解を完全たるものにするために開示し、且つ、この技術分野における通常の知識を持った者に発明の範疇を報知するために提供されるものである。
【００１０】
図１は、本発明の一実施形態による表示装置を説明するためのブロック図であり、図２は、本発明の一実施形態による光源モジュールを説明するためのブロック図であり、図３は、本発明の一実施形態による電流バラツキ制御部を説明するための回路図である。そして、図４は、本発明の一実施形態による電源供給部の回路図であり、図５は、本発明の一実施形態によるコンバート部の回路図であり、図６は、本発明の一実施形態の変形例による電流バラツキ制御部を説明するための回路図である。
【００１１】
図１〜図５を参照すると、本発明の一実施形態による表示装置は、表示パネル１００と、ゲート駆動部２００と、データ駆動部３００と、駆動電圧生成部４００と、信号制御部５００と、光源モジュール１０００とを備えている。
【００１２】
表示パネル１００は、ゲート駆動部２００及びデータ駆動部３００によって駆動され、光源モジュール１０００から発せられる光によって画像を表示する。表示パネル１００は、図１に示すように、複数のゲート線Ｇ１〜Ｇｎと、複数のデータ線Ｄ１〜Ｄｍと、複数の単位画素とを備えている。複数のゲート線Ｇ１〜Ｇｎは一方向に延在し、複数のデータ線Ｄ１〜Ｄｍは複数のゲート線Ｇ１〜Ｇｎと直交する方向に延在する。複数のゲート線Ｇ１〜Ｇｎの少なくとも一方の端部はそれぞれゲート駆動部２００に接続される。複数のデータ線Ｄ１〜Ｄｍの少なくとも一方の端部はそれぞれデータ駆動部３００に接続される。
【００１３】
単位画素は、ゲート線Ｇ１〜Ｇｎとデータ線Ｄ１〜Ｄｍとが交差する領域に設けられている。単位画素は、図１に示すように、薄膜トランジスターＴＦＴと、維持キャパシターＣｓｔと、液晶キャパシターＣｌｃとを備えている。液晶キャパシターＣｌｃは下部画素電極と上部共通電極（共に図示せず）との間で形成され、画素電極と共通電極との間には挟置されている液晶を備える。なお、図示していないが、液晶キャパシターＣｌｃの上側にはカラーフィルターが設けられている。画素電極と共通電極は、複数のドメインに仕切られていてもよい。もちろん、本発明の実施形態による表示パネル１００は上述の説明に限定されるものではなく、種々の変形例が採用可能である。すなわち、単位画素領域内に複数の画素が設けられていてもよい。また、単位画素領域は、横長が縦長よりも長くても短くてもよい。さらに、単位画素領域は必ず略方形である必要はなく、種々の形状のものが採用可能である。
【００１４】
上述した構造を有する表示パネル１００の外側には、表示パネル１００の駆動のための信号を供給する制御部が設けられている。この制御部は、ゲート駆動部２００と、データ駆動部３００と、駆動電圧生成部４００と、信号制御部５００とを備えている。
【００１５】
信号制御部５００は、正常動作時に外部のグラフィックス制御器（図示せず）からの入力画像信号及び入力制御信号を受信する。入力画像信号は、画素データＲ、Ｇ、Ｂを含んでいる。入力制御信号は、画像表示信号の表示を制御する。入力制御信号は、垂直同期信号Ｖｓｙｎｃ、水平同期信号Ｈｓｙｎｃ、メインクロックＣＬＫ、及びデータイネーブル信号ＤＥを含んでいる。信号制御部５００は、画素データを表示パネル１００の動作条件に合わせて処理する。これにより、画素データは、液晶表示パネル１００の画素の配列に応じて並べ替えられる。また、信号制御部５００は、ゲート制御信号及びデータ制御信号を生成し、ゲート制御信号をゲート駆動部２００に送り、データ制御信号をデータ駆動部３００に送る。ゲート制御信号は、ゲートターンオン電圧Ｖｏｎの出力開始を指令する垂直同期開始信号、ゲートクロック信号、及び出力イネーブル信号を含んでいる。なお、データ制御信号は、画素データの伝送開始を報知する同期開始信号と、対応するデータ線にデータ電圧を印加せよとのロード信号と、共通電圧に対する階調電圧の極性を反転する反転信号、及びデータクロック信号を含んでいる。
【００１６】
駆動電圧生成部４００は、外部の電源装置から入力される外部電源を用いて表示装置の駆動に必要な種々の駆動電圧を生成する。駆動電圧生成部４００は、基準電圧と、ゲートターンオン電圧Ｖｏｎと、ゲートターンオフ電圧Ｖｏｆｆと、共通電圧とを生成する。駆動電圧生成部４００は、信号制御部５００からの制御信号に基づいて、ゲートターンオン電圧Ｖｏｎ及びゲートターンオフ電圧Ｖｏｆｆをゲート駆動部２００に印加すると共に、基準電圧をデータ駆動部３００に印加する。ここで、基準電圧は、液晶を駆動する階調電圧の生成のための基準電圧として用いられる。
【００１７】
ゲート駆動部２００は、複数のゲート線Ｇ１〜Ｇｎに接続され、信号制御部５００の制御信号に基づいて駆動電圧生成部４００のゲートターンオン電圧Ｖｏｎを複数のゲート線Ｇ１〜Ｇｎにそれぞれ順次に供給する。これにより、薄膜トランジスターＴＦＴの動作を制御することができる。
【００１８】
データ駆動部３００は、複数のデータ線Ｄ１〜Ｄｍに接続され、信号制御部５００の制御信号と駆動電圧生成部４００の基準電圧を用いて階調電圧を生成する。なお、データ駆動部３００はそれぞれのデータ線Ｄ１〜Ｄｍに、対応する階調電圧を印加する。すなわち、データ駆動部３００は、入力されたデジタル型の画素データを基準電圧に基づいてアナログ型のデータ信号（すなわち、階調電圧）に変換して出力する。
【００１９】
ここで、上述した信号制御部５００、駆動電圧生成部４００、データ駆動部３００、及びゲート駆動部２００は、ＩＣチップ状に製作されてプリント回路基板（Ｐｒｉｎｔｅｄ  Ｃｉｒｃｕｉｔ  Ｂｏａｒｄ：ＰＣＢ）に実装される。プリント回路基板は、軟性プリント回路基板（Ｆｌｅｘｉｂｌｅ  Ｐｒｉｎｔｅｄ  Ｃｉｒｃｕｉｔ  Ｂｏａｒｄ：ＦＰＣ）を介して表示パネル１００に電気的に接続される（共に図示せず）。ここで、表示パネル１００は上部基板及び下部基板を備えている。基板としてガラス基板または透光性のプラスチック基板を用いることが好ましい。このとき、ゲート駆動部２００とデータ駆動部３００が表示パネル１００の透光性基板に実装されていてもよい。また、ゲート駆動部２００は、表示パネル１００の下部基板上に直接形成されていてもよい。すなわち、下部基板に薄膜トランジスターＴＦＴを作りこむときに、ゲート駆動部２００も一体に製作してもよい。
【００２０】
光源モジュール１０００は、図１に示すように、表示パネル１００に光を発する光源１１００と、光源１１００の動作を制御する光源制御部１２００とを備えている。光源１１００は、フィードバック制御信号Ｓｆｂを光源制御部１２００に供給する。光源制御部１２００は、フィードバック制御信号Ｓｆｂに基づいてその駆動が制御される。
【００２１】
光源１１００は、複数の発光部１１１０を有している。複数の発光部１１１０は、入力端子Ｑｉｎと接地電源との間に並列接続されている。図２には、光源として、３個の発光部１１１０が並列接続されたものを示している。しかし、光源１１００内の発光部１１１０の数はこれに限定されるものではなく、これよりも多数であっても少数であってもよい。
【００２２】
複数の発光部１１１０は、直列接続された発光ダイオードストリング１１１１と電源検出部１１１２をそれぞれ備えている。
【００２３】
発光ダイオードストリング１１１１は、図２に示すように、直列接続された複数の発光ダイオードを備えている。もちろん、本発明はこれに限定されるものではなく、複数の発光ダイオードは並列及び／または逆並列接続されてもよい（例えば、交流電源を使用する場合等）。それぞれの発光部１１１０内の発光ダイオードの数は同数であることが好ましい。発光部１１１０は、図示していないが、発光する複数の発光ダイオードが実装された基板と、発光ダイオードに電源を供給する電源供給端子とを備えていることが好ましい。ここで、基板は、棒状にも板状にも製作可能である。基板が棒状に製作される場合、複数の発光ダイオードが線状に配設される。また、基板が板状に製作される場合、発光ダイオードがマトリックス状に配設される。複数の発光部１１１０は、単一のチャンネルとしてそれぞれ発光する。
【００２４】
複数の発光部１１１０は、それぞれ制御ノードＱｃ１〜Ｑｃ３を備えている。例えば、この実施形態においては、３個の発光部１１１０を備えている。これにより、光源１１００は３個の制御ノードＱｃ１〜Ｑｃ３を有する。
【００２５】
上述した発光ダイオードストリング１１１１は、入力端子Ｑｉｎと制御ノードＱｃ１〜Ｑｃ３との間に接続される。電源検出部１１１２は、制御ノードＱｃｌ〜Ｑｃ３と接地電源との間に接続される。上述した発光ダイオードストリング１１１１は、入力端子Ｑｉｎを介して印加された直流電源によって発光する。電源検出部１１１２は、発光ダイオードストリング１１１１に流れる電流量を検出する。このとき、電源検出部１１１２としては、図３に示すように、抵抗素子を用いる。電源検出部１１１２は、抵抗素子の両端にかかる電圧を用いて発光ダイオードストリング１１１１に流れる電流量を測定することができる。複数の発光部１１１０内の電源検出部１１１２として用いられる抵抗素子の抵抗値は、同じであることが好ましい。測定された電流量（すなわち、抵抗素子の両端にかかる電圧）に基づいて、複数の発光部１１１０はそれぞれ複数のフィードバック制御信号Ｓｆｂ−１〜Ｓｆｂ−３を生成する。このとき、フィードバック制御信号Ｓｆｂ−１〜Ｓｆｂ−３は、制御ノードＱｃ１〜Ｑｃ３の電圧レベルと同じ電圧レベルを有する。
【００２６】
光源制御部１２００は、外部直流電源Ｐｉｎとフィードバック制御信号Ｓｆｂ−１〜Ｓｆｂ−３に基づいて駆動されて、駆動電源Ｐｄｃを光源１１００に供給する。
【００２７】
光源制御部１２００は、図２に示すように、複数のフィードバック制御信号Ｓｆｂ−１〜Ｓｆｂ−３が供給されて複数の電源制御信号Ｓｍｉｎ−ｐ、Ｓｍａｘ−ｐを出力する電流バラツキ制御部１２２０と、外部電源Ｐｉｎと電源制御信号Ｓｍｉｎ−ｐ、Ｓｍａｘ−ｐに基づいて駆動電源Ｐｄｃを出力するコンバート部１２１０とを備えている。
【００２８】
電流バラツキ制御部１２２０は、複数のフィードバック制御信号Ｓｆｂ−１〜Ｓｆｂ−３、すなわち、複数の発光部１１１０それぞれの制御ノードＱｃ１〜Ｑｃ３の電圧に基づいて複数の電源制御信号Ｓｍｉｎ−ｐ、Ｓｍａｘ−ｐを出力する。このとき、複数の電源制御信号Ｓｍｉｎ−ｐ、Ｓｍａｘ−ｐは、第１の電源制御信号Ｓｍｉｎ−ｐと第２の電源制御信号Ｓｍａｘ−ｐを備える。第１の電源制御信号Ｓｍｉｎ−ｐは、複数のフィードバック制御信号Ｓｆｂ−１〜Ｓｆｂ−３の電圧（すなわち、制御ノードＱｃ１〜Ｑｃ３の電圧）が第１の基準電圧Ｖｒｅｆ１よりも低い場合にその信号レベルが変わる。第２の電源制御信号Ｓｍａｘ−ｐは、複数のフィードバック制御信号Ｓｆｂ−１〜Ｓｆｂ−３の電圧（すなわち、制御ノードＱｃ１〜Ｑｃ３の電圧）が第２の基準電圧Ｖｒｅｆ２よりも高い場合にその信号レベルが変わる。
【００２９】
電流バラツキ制御部１２２０は、図３に示すように、複数のフィードバック制御信号Ｓｆｂ−１〜Ｓｆｂ−３及び第１の基準電圧Ｖｒｅｆ１に基づいて第１の電源制御信号Ｓｍｉｎ−ｐを生成する第１の信号生成部１２２１と、複数のフィードバック制御信号Ｓｆｂ−１〜Ｓｆｂ−３及び第２の基準電圧Ｖｒｅｆ２に基づいて第２の電源制御信号Ｓｍａｘ−ｐを生成する第２の信号生成部１２２２を備えている。
【００３０】
電流バラツキ制御部１２２０は、フィードバック制御信号Ｓｆｂ−１〜Ｓｆｂ−３の電圧レベルが所定の動作範囲の上限値よりも高い場合には第２の信号生成部１２２２により第２の電源制御信号Ｓｍａｘ−ｐを出力し、動作範囲の下限値よりも低い場合には第１の信号生成部１２２１により第１の電源制御信号Ｓｍｉｎ−ｐを出力する。例えば、動作範囲を０．３〜０．６Ｖに設定したとすれば、フィードバック制御信号Ｓｆｂ−１〜Ｓｆｂ−３の電圧レベルが０．３Ｖ以下になれば、電流バラツキ制御部１２２０は第１の電源制御信号Ｓｍｉｎ−ｐをコンバート部１２１０に印加する。第１の電源制御信号Ｓｍｉｎ−ｐが印加されたコンバート部１２１０は駆動電源の電圧レベルを上げる。また、フィードバック制御信号Ｓｆｂ−１〜Ｓｆｂ−３の電圧レベルが０．６Ｖ以上になれば、電流バラツキ制御部１２２０は第２の電源制御信号Ｓｍａｘ−ｐをコンバート部１２１０に印加する。第２の電源制御信号Ｓｍａｘ−ｐが印加されたコンバート部１２１０は駆動電源の電圧レベルを下げる。ここで、動作範囲は光源１１００を駆動するために供給される駆動電源の電圧範囲内において選択自在である。この動作範囲を縮めることにより光源１１００の輝度均一度をさらに高めることができる。
【００３１】
以下、上述した駆動を行う電流バラツキ制御部１２２０の内部構成についてさらに詳細に説明する。
【００３２】
第１の信号生成部１２２１は、第１のノードＱ１と、この第１のノードＱ１に固定電源Ｐｐｘを供給する電源供給部１２２１−１と、複数のフィードバック制御信号Ｓｆｂ−１〜Ｓｆｂ−３の状態に応じて第１のノードＱ１の電圧レベルを変える信号変換部１２２１−２と、第１のノードＱ１の電圧と第１の基準電圧Ｖｒｅｆ１とを比較して第１の電源制御信号Ｓｍｉｎ−ｐを生成する第１の信号出力部１２２１−３とを備えている。
【００３３】
信号変換部１２２１−２は、複数のフィードバック制御信号Ｓｆｂ−１〜Ｓｆｂ−３のうち少なくとも一つの信号電圧が動作範囲よりも低い場合に第１のノードＱ１に供給された固定電源Ｐｐｘの電圧レベルを変える。信号変換部１２２１−２は、カソード端子が複数のフィードバック制御信号Ｓｆｂ−１〜Ｓｆｂ−３にそれぞれ接続され、アノード端子が第１のノードＱ１に接続されている複数のダイオードＤ１〜Ｄ３を備えている。
【００３４】
複数のフィードバック制御信号Ｓｆｂ−１〜Ｓｆｂ−３のうち少なくとも一つの信号電圧が第１のノードＱ１への電圧よりも低い場合、信号変換部１２２１−２は複数の制御ノードＱｃ１〜Ｑｃ３のうち少なくとも一つと第１のノードＱ１との間に電流経路を形成する。このような電流経路により第１のノードＱ１の電圧レベルが変わる。
【００３５】
このとき、第１のノードＱ１の電圧から複数のフィードバック制御信号Ｓｆｂ−１〜Ｓｆｂ−３のうち少なくとも一つの信号電圧を差し引いた電圧値がダイオードＤ１〜Ｄ３のしきい電圧値よりも高い場合に、信号変換部１２２１−２は電流経路を形成する。このため、第１のノードＱ１に供給される固定電源Ｐｐｘの電圧レベルは、既定の動作範囲の下限に相当する電圧値にダイオードＤ１〜Ｄ３のしきい電圧の下限値を加えたものであることが好ましい。すなわち、例えば、動作範囲を０．３Ｖ〜０．６Ｖとし、ダイオードＤ１〜Ｄ３のしきい電圧が０．７Ｖである場合、第１のノードＱ１に供給される固定電源Ｐｐｘの電圧レベルは１Ｖであることが好ましい。ここで、もし、フィードバック制御信号Ｓｆｂ−１〜Ｓｆｂ−３のうち少なくとも一つの信号電圧が０．２Ｖとなる場合に上述した電流経路を形成する。
【００３６】
上述した信号変換部１２２１−２は上述した回路構成に限定されるものではなく、フィードバック制御信号Ｓｆｂ−１〜Ｓｆｂ−３の電圧レベルに基づいて第１のノードＱ１の電圧レベルを下げる種々の回路が使用可能である。
【００３７】
電源供給部１２２１−１は、外部電源の影響を受けずに一定の電圧レベルとなる固定電源Ｐｐｘを供給する。例えば、図４に示すように、電源供給部１２２１−１は、外部電源Ｖｃｃと固定電源Ｐｐｘの出力端子に接続されている第１の抵抗Ｒ１と、固定電源Ｐｐｘの出力端子と第１０のノードＱ１０との間に直列接続されている第１０のダイオードＤ１０及び第２の抵抗Ｒ２と、外部電源Ｖｃｃに接続されている第３の抵抗Ｒ３と、ゲート端子が第１０のノードＱ１０に接続され、ソース端子が第３の抵抗Ｒ３に接続されているトランジスターＴＲ１と、トランジスターＴＲ１のドレイン端子と接地との間に接続されている第４の抵抗Ｒ４と、第１０のノードＱ１０と接地との間に接続されている第５の抵抗Ｒ５とを備えている。ここで、固定電源Ｐｐｘの電圧は、信号変換部１２２１−２のダイオードＤ１〜Ｄ３のしきい電圧によって種々に変わりうる。
【００３８】
第１の信号出力部１２２１−３は、第１のノードＱ１の電圧（例えば、固定電源Ｐｐｘの電圧）と第１の基準電圧Ｖｒｅｆ１とを比較して第１の電源制御信号Ｓｍｉｎ−ｐを生成する。第１の信号出力部１２２１−３は、第１の基準電圧が印加された非反転入力端＋と反転入力端−を有する増幅器ＯＰ１と、第１のノードＱ１と反転入力端−に接続されている第１０の抵抗Ｒ１０と、反転入力端−と増幅器ＯＰ１の出力端に接続されている第１１の抵抗Ｒ１１と、増幅器ＯＰ１の出力端と第１の電源制御信号Ｓｍｉｎ−ｐの出力端に接続されている第１２の抵抗Ｒ１２とを備えている。
【００３９】
これにより、第１の信号出力部１２２１−３は、第１のノードＱ１の電圧と第１の基準電圧Ｖｒｅｆ１との差分により種々の電圧レベルを有する第１の電源制御信号Ｓｍｉｎ−ｐを出力する。ここで、第１の基準電圧Ｖｒｅｆ１は変わることなく一定の値を維持するが、第１のノードＱ１の電圧は、上述したように、複数のフィードバック制御信号Ｓｆｂ−１〜Ｓｆｂ−３の電圧によって変わる。このため、第１のノードＱ１の電圧が固定電源Ｐｐｘの電圧に維持される場合、第１の信号出力部１２２１−３は第１の電圧レベルを有する第１の電源制御信号Ｓｍｉｎ−ｐを出力する。しかしながら、第１のノードＱ１の電圧が固定電源Ｐｐｘの電圧に維持できない場合、第１の信号出力部１２２１−３は第２の電圧レベルを有する第１の電源制御信号Ｓｍｉｎ−ｐを出力する。第１及び第２の電圧レベルを有する第１の電源制御信号Ｓｍｉｎ−ｐはコンバート部１２１０に印加される。第１の電圧レベルの第１の電源制御信号Ｓｍｉｎ−ｐがコンバート部１２１０に印加された場合、コンバート部１２１０は正常動作をする。ところが、第２の電圧レベルの第１の電源制御信号Ｓｍｉｎ−ｐがコンバート部１２１０に印加された場合、コンバート部１２１０は駆動電源のレベルを上げて光源１１００に供給する。上述した固定電源Ｐｐｘの電圧レベルと第１の基準電圧Ｖｒｅｆ１の電圧レベルは同じであることが好ましい。
【００４０】
次いで、第２の信号生成部１２２２は、複数のフィードバック制御信号Ｓｆｂ−１〜Ｓｆｂ−３の状態に応じて変換信号Ｓｃｃを出力する変換信号出力部１２２２−１と、変換信号Ｓｃｃと第２の基準電圧Ｖｒｅｆ２とを比較して第２の電源制御信号Ｓｍａｘ−ｐを生成する第２の信号出力部１２２２−２とを備えている。
【００４１】
変換信号出力部１２２２−１は、複数のフィードバック制御信号Ｓｆｂ−１〜Ｓｆｂ−３のうち少なくとも一つの信号電圧が動作範囲よりも高い場合に変換信号Ｓｃｃを印加する。変換信号出力部１２２２−１は、アノード端子が複数のフィードバック制御信号Ｓｆｂ−１〜Ｓｆｂ−３にそれぞれ接続され、カソード端子が変換信号出力部１２２２−１の出力端に接続されている複数のダイオードＤ４〜Ｄ６を備える。これにより、複数のフィードバック制御信号Ｓｆｂ−１〜Ｓｆｂ−３のうち少なくとも一つの信号電圧がダイオードＤ４〜Ｄ６のしきい電圧値よりも高い場合、フィードバック制御信号Ｓｆｂ−１〜Ｓｆｂ−３が変換信号Ｓｃｃとして出力される。なお、複数のフィードバック制御信号Ｓｆｂ−１〜Ｓｆｂ−３の電圧がダイオードＤ４〜Ｄ６のしきい電圧よりも低い場合には変換信号Ｓｃｃが出力されない。
【００４２】
このように、しきい電圧の範囲を調節することにより、動作範囲の上限値よりも高い場合に変換信号Ｓｃｃを生成することができる。例えば、動作範囲を０．３Ｖ〜０．７Ｖとし、ダイオードＤ４〜Ｄ６のしきい電圧が０．７であるとすれば、複数のフィードバック制御信号Ｓｆｂ−１〜Ｓｆｂ−３のうち少なくとも一つの信号電圧として０．９Ｖが印加されると、０．９Ｖのフィードバック制御信号が印加されたダイオードＤ４〜Ｄ６が動作して約０．２Ｖの電圧レベルの変換信号Ｓｃｃを出力する。
【００４３】
第２の信号出力部１２２２−２は、変換信号Ｓｃｃと第２の基準電圧Ｖｒｅｆ２とを比較して第２の電源制御信号Ｓｍａｘ−ｐを生成する。
【００４４】
第２の信号出力部１２２２−２は、第２の基準電圧Ｖｒｅｆ２が印加された非反転入力端＋と反転入力端−を有する増幅器ＯＰ１０と、変換信号Ｓｃｃ入力端と反転入力端−に接続されている第２０の抵抗Ｒ２０と、反転入力端−と増幅器ＯＰ１０の出力端に接続されている第２１の抵抗Ｒ２１と、増幅器ＯＰ１０の出力端と第２の電源制御信号Ｓｍａｘ−ｐの出力端に接続されている第２の２抵抗Ｒ２２とを備えている。
【００４５】
第２の信号出力部１２２２−２は、変換信号Ｓｃｃの電圧と第２の基準電圧Ｖｒｅｆ２との差分により種々の電圧レベルを有する第２の電源制御信号Ｓｍａｘ−ｐを出力する。ここで、第２の基準電圧Ｖｒｅｆ２は変わることなく一定の値を維持するが、変換信号Ｓｃｃの電圧は、上述したように、複数のフィードバック制御信号Ｓｆｂ−１〜Ｓｆｂ−３の電圧に応じて変わる。このため、第２の信号出力部１２２２−２は、変換信号Ｓｃｃの電圧が第２の基準電圧Ｖｒｅｆ２よりも低い場合には第１の電圧レベルの第２の電源制御信号Ｓｍａｘ−ｐを出力する。もちろん、複数のフィードバック制御信号Ｓｆｂ−１〜Ｓｆｂ−３の電圧がダイオードＤ４〜Ｄ６のしきい電圧よりも低い場合には変換信号Ｓｃｃが出力されない。なお、第２の信号出力部１２２２−２は、変換信号Ｓｃｃの電圧が第２の基準電圧Ｖｒｅｆ２よりも高い場合には第２の電圧レベルの第２の電源制御信号Ｓｍａｘ−ｐを出力する。
【００４６】
第１及び第２の電圧レベルを有する第２の電源制御信号Ｓｍａｘ−ｐは、コンバート部１２１０に印加される。第１の電圧レベルの第２の電源制御信号Ｓｍａｘ−ｐがコンバート部１２１０に印加された場合、コンバート部１２１０は正常動作をする。ところが、第２の電圧レベルの第２の電源制御信号Ｓｍａｘ−ｐがコンバート部１２１０に印加された場合、コンバート部１２１０は駆動電源の電圧レベルを下げて光源１１００に供給する。
【００４７】
上述したように、本実施形態による電流バラツキ制御部１２２０は、複数の発光部それぞれの制御ノードの電圧、すなわち、複数のフィードバック制御信号Ｓｆｂ−１〜Ｓｆｂ−３の電圧のうち少なくとも一つの電圧が、設定された動作範囲よりも低い場合には第２の電圧レベルの第１の電源制御信号Ｓｍｉｎ−ｐを出力し、設定された動作範囲よりも高い場合には第２の電圧レベルの第２の電源制御信号Ｓｍａｘ−ｐを出力する。
【００４８】
コンバート部１２１０は、外部直流電源Ｐｉｎを駆動電源Ｐｄｃに変換する。このとき、駆動電源Ｐｄｃの電圧レベルは、第１及び第２の電源制御信号Ｓｍｉｎ−ｐ、Ｓｍａｘ−ｐに応じて変わる。すなわち、上述したように、コンバート部１２１０は、第２の電圧レベルの第１の電源制御信号Ｓｍｉｎ−ｐが印加されると、以前に印加されていた駆動電源Ｐｄｃよりも高い電圧レベルを有する別の駆動電源Ｐｄｃを印加する。また、第２の電圧レベルの第２の電源制御信号Ｓｍａｘ−ｐが印加されると、以前に印加されていた駆動電源Ｐｄｃよりも低い電圧レベルを有する別の駆動電源Ｐｄｃを印加する。
【００４９】
このようなコンバート部１２１０としてＤＣ−ＤＣコンバーターを採用する。すなわち、コンバート部１２１０は、入力される外部直流電源Ｐｉｎの電圧を上げて駆動電源Ｐｄｃとして出力する。このコンバート部１２１０は、図５に示すように、第１及び第２の電源制御信号Ｓｍｉｎ−ｐ、Ｓｍａｘ−ｐに基づいてパルス信号Ｐｓを生成するパルス信号生成部１２１１と、外部直流電源Ｐｉｎ入力端と第１００のノードＱ１００との間に設けられているインダクターＬ１と、第１００のノードＮ１００と接地との間に設けられ、パルス信号Ｐｓに基づいて動作する第１０のトランジスターＴＲ１０と、第１００のノードＱ１００と駆動電源Ｐｄｃ出力端との間に設けられている整流ダイオードＤ１００と、駆動電源Ｐｄｃ出力端と接地との間に設けられているキャパシターＣ１とを備えている。もちろん、コンバート部１２１０は、全体の光源１１００の電流がフィードバックされて駆動電源Ｐｄｃを制御することもできる。
【００５０】
パルス信号生成部１２１１は、矩形波のパルス信号Ｐｓを生じさせる。もちろん、パルス信号生成部１２１１には別途の電源電圧と外部制御信号が供給される。パルス信号生成部１２１１は、矩形波のパルス信号Ｐｓのデューティ比を調節してコンバート部１２１０が一定の直流電圧（すなわち、駆動電源）を出力するようにする。パルス信号生成部１２１１は、第１及び第２の電源制御信号Ｓｍｉｎ−ｐ、Ｓｍａｘ−ｐに基づいて矩形波のパルス信号Ｐｓのデューティ比を調節する。パルス信号生成部１２１１において生成されたパルス信号Ｐｓに基づいて第１０のトランジスターＴＲ１０がターンオンすると、入力直流電源と接地との間に電流経路が形成される。これにより、インダクターＬ１に流れる電流量が経時的に増大する。入力電源がインダクターＬ１に流れながらそのエネルギーがインダクターＬ１に蓄えられる。また、パルス信号Ｐｓに基づいて第１０のトランジスターＴ１０がターンオフすると、入力電源と電源電圧との間の電流経路が閉塞され、インダクターＬ１に流れる電流が遮断される。これにより、インダクターＬ１において高いエネルギーの逆起電力により高電圧が発生する。この高電圧は、整流ダイオードＤ１００をターンオンさせてインダクターＬ１に磁気エネルギーとして蓄えられていた電流を、整流ダイオードＤ１００を介して流れさせてキャパシターＣ１に電荷を充電させる。このようにしてキャパシターＣ１に充電された電圧は、光源１１００に供給される駆動電源Ｐｄｃとして用いられる。
【００５１】
以下、上述した構成を有する本発明の一実施形態による光源モジュール１０００の動作を簡略に述べる。
【００５２】
外部電源Ｐｉｎと別途の外部制御信号に基づいてコンバート部１２１０が駆動し、光源１１００に駆動電源Ｐｄｃを供給する。駆動電源Ｐｄｃは、光源１１００の入力端と出力端との間に並列接続されている複数の発光部１１１０にそれぞれ供給される。これにより、複数の発光部１１１０内の発光ダイオードストリング１１１１が発光する。なお、複数の発光部１１１０の複数の制御ノードＱｃ１〜Ｑｃ３はそれぞれ電源検出部１１１２により一定のレベルの電圧を有する。
【００５３】
光源制御部１２００は、複数の制御ノードＱｃ１〜Ｑｃ３の電圧が駆動範囲内に納まるように駆動電源Ｐｄｃの電流レベルを変える。まず、複数の制御ノードＱｃ１〜Ｑｃ３の電圧が駆動範囲内にある場合には、コンバート部１２１０は第１の電圧レベルの駆動電源Ｐｄｃを光源１１００に供給する。もし、複数の制御ノードＱｃ１〜Ｑｃ３の電圧のうち一つの電圧が駆動範囲の下限よりも低い場合には、第１の信号生成部１２２１によりコンバート部１２１０は第１の電圧レベルよりも高いレベルの駆動電源Ｐｄｃを光源１１００に供給する。また、複数の制御ノードＱｃ１〜Ｑｃ３の電圧のうち一つの電圧が駆動範囲の上限よりも高い場合には、第１の信号生成部１２２１によりコンバート部１２１０は第１の電圧レベルよりも低いレベルの駆動電源Ｐｄｃを光源１１００に供給する。
【００５４】
ここで、制御ノードＱｃ１〜Ｑｃ３の電圧範囲に応じて、光源１１００の複数の発光部１１１０にそれぞれ流れる電流量が異なってくる。このため、上述したように、制御ノードＱｃ１〜Ｑｃ３の電圧に基づいて駆動電源Ｐｄｃの電流量を増減することにより、複数の発光部１１１０の輝度を均一に維持することができる。すなわち、少なくとも一つの発光部の輝度が低い場合には全体的に輝度を高めて発光部を高輝度レベルに整え、少なくとも一つの発光部の輝度が高い場合には全体的に輝度を低めて発光部を低輝度レベルに整える。もちろん、本発明はこれに限定されることなく、少なくとも一つの発光部の輝度が低い場合には全体的に輝度を低めて発光部を低輝度レベルに整え、少なくとも一つの発光部の輝度が高い場合には全体的に輝度を高めて発光部を高輝度レベルに整えてもよい。
【００５５】
もちろん、本実施形態による光源モジュール１０００は、上述した説明に限定されるものではなく、種々の変形例が採用可能である。すなわち、図６に示すように、発光部の制御ノードＱｃ１〜Ｑｃ３の電圧レベルに応じてそれぞれ別々に動作する複数の電流バラツキ制御部により、発光部の輝度をそれぞれ別々に調節することもできる。
【００５６】
すなわち、図６に示すように、光源１１００が３個の発光部１１１０を有する場合、光源制御部１２００も３個の電流バラツキ制御部１２２０ａ〜１２２０ｃを備える。第１〜第３の電流バラツキ制御部１２２０ａ〜１２２０ｃは、それぞれ、第１の基準電圧Ｖｒｅｆ１が供給される第１の信号生成部１２２１ａ〜１２２１ｃと、第２の基準電圧が供給される第２の信号生成部１２２２ａ〜１２２２ｃとを備える。なお、第１の信号生成部１２２１ａ〜１２２１ｃは、電源供給部１２２１ａ−１〜１２２１ｃ−１、信号変換部１２２１ａ−２〜１２２１ｃ−２、及び第１の信号出力部１２２１ａ−３〜１２２１ｃ−３を備える。第２の信号生成部１２２２ａ〜１２２２ｃは、変換信号出力部１２２２ａ−１〜１２２２ｃ−１及び第２の信号出力部１２２２ａ−２〜１２２２ｃ−２を備える。
【００５７】
第１の電流バラツキ制御部１２２０ａは、第１番目の発光部１１１０の制御ノードＱｃ１に接続されて（すなわち、第１番目のフィードバック制御信号Ｓｆｂ−１に基づいて）、第１番目の第１及び第２の電源制御信号Ｓｍｉｎａ−ｐ、Ｓｍａｘａ−ｐを生成する。第２の電流バラツキ制御部１２２０ｂは、第２番目の発光部１１１０の制御ノードＱｃ２に接続されて、第２番目の第１及び第２の電源制御信号Ｓｍｉｎｂ−ｐ、Ｓｍａｘｂ−ｐを生成する。第３番目の電流バラツキ制御部１２２０ｃは、第３番目の発光部１１１０の制御ノードＱｃ３に接続されて、第３番目の第１及び第２の電源制御信号Ｓｍｉｎｃ−ｐ、Ｓｍａｘｃ−ｐを生成する。上述した第１番目から第３番目の第１の電源制御信号Ｓｍｉｎａ−ｐ〜Ｓｍｉｎｃ−ｐと第１番目から第３番目の第２の電源制御信号Ｓｍａｘａ−ｐ〜Ｓｍａｘｃ−ｐはコンバート部１２１０に印加される。コンバート部１２１０は、第１番目から第３番目の電源制御信号に基づいて駆動電源の電源レベルを制御する。
【００５８】
もちろん、本発明はこれに限定されるものではなく、発光部１１１０がそれぞれ異なるコンバート部１２１０により駆動されてもよい。上述したように、３個の発光部１１１０を有する場合、第１から第３のコンバート部１２１０はそれぞれ第１から第３の発光部にそれぞれ別々に駆動電源を供給することができる。すなわち、第１のコンバート部に第１番目の第１及び第２の電源制御信号Ｓｍｉｎａ−ｐ、Ｓｍａｘａ−ｐを印加して第１の発光部の輝度を制御することができ、第２のコンバート部に第２番目の第１及び第２の電源制御信号Ｓｍｉｎｂ−ｐ、Ｓｍａｘｂ−ｐを印加して第２の発光部の輝度を制御することができ、第３のコンバート部に第３番目の第１及び第２の電源制御信号Ｓｍｉｎｃ−ｐ、Ｓｍａｘｃ−ｐを印加して第３の発光部の輝度を制御することができる。このような構成により、複数の発光部の輝度をそれぞれ別々に制御することができる。
【００５９】
以上、図面及び上述の実施形態により、本発明を詳細に説明したが、本発明はこれに限定されるものではなく、この技術分野における通常の知識を有する者であれば、特許請求の範囲において請求する技術的な思想から逸脱しない限り、本発明を種々に変形及び修正することができる。
【図面の簡単な説明】
【００６０】
【図１】本発明の一実施形態による表示装置を説明するためのブロック図。
【図２】本発明の一実施形態による光源モジュールを説明するためのブロック図。
【図３】本発明の一実施形態による電流バラツキ制御部を説明するための回路図。
【図４】本発明の一実施形態による電源供給部の回路図。
【図５】本発明の一実施形態によるコンバート部の回路図。
【図６】本発明の一実施形態の変形例による電流バラツキ制御部を説明するための回路図。
【符号の説明】
【００６１】
１００    表示パネル
２００    ゲート駆動部
３００    データ駆動部
４００    駆動電圧生成部
５００    信号制御部
１０００    光源モジュール
１１００    光源
１１１０    発光部
１１１１    発光ダイオードストリング
１１１２    電源検出部
１２００    光源制御部
１２１０    コンバート部
１２１１    パルス信号生成部
１２２０    電流バラツキ制御部
１２２１    第１の信号生成部
１２２１−１    電源供給部
１２２１−２    信号変換部
１２２１−３    第１の信号出力部
１２２２    第２の信号生成部
１２２２−１    変換信号出力部
１２２２−２    第２の信号出力部
【図１】
2009026734.tif 000003
【図２】
2009026734.tif 000004
【図３】
2009026734.tif 000005
【図４】
2009026734.tif 000006
【図５】
2009026734.tif 000007
【図６】
2009026734.tif 000008